(57)【特許請求の範囲】
【請求項１】
携帯型情報端末において表示される電子書籍を、前記携帯型情報端末に接続された車載機において表示および音声出力することによって、前記車載機における前記電子書籍の視聴が可能とされた電子書籍視聴システムであって、
前記車載機は、
前記携帯型情報端末から電子書籍情報を取得する電子書籍情報取得手段と、
この電子書籍情報取得手段によって取得された前記電子書籍情報から、文字情報を抽出する文字情報抽出手段と、
この文字情報抽出手段によって抽出された前記文字情報の読み上げを行う読み上げ手段と、
前記取得された電子書籍情報から、画像情報を抽出する画像情報抽出手段と、
この画像情報抽出手段によって抽出された前記画像情報に対応する画像を、前記画像情報と前記文字情報との前記電子書籍情報中における配置状態に基づいて、前記画像情報に関連するとみなされる前記文字情報を判別し、この判別の結果に基づいて、前記文字情報が前記読み上げ手段によって読み上げられる期間中に限定的に表示する画像表示手段と
を備えたことを特徴とする電子書籍視聴システム。
【請求項２】
前記車載機は、
前記読み上げ手段によって読み上げられる前記文字情報を前記携帯型情報端末に通知する文字情報通知手段を備え、
前記携帯型情報端末は、
自らが表示中の前記電子書籍における前記文字情報通知手段によって通知された前記文字情報に対応する文字を強調表示する文字強調手段を備えたこと
を特徴とする請求項１に記載の電子書籍視聴システム。
【請求項３】
前記車載機は、
前記画像表示手段によって表示される前記画像に対応する画像情報を前記携帯型情報端末に通知する画像情報通知手段を備え、
前記携帯型情報端末は、
自らが表示中の前記電子書籍における前記画像情報通知手段によって通知された前記画像情報に対応する画像を強調表示する画像強調手段を備えたこと
を特徴とする請求項１または請求項２に記載の電子書籍視聴システム。
【請求項４】
前記携帯型情報端末は、タブレット端末であること
を特徴とする請求項１乃至請求項３のいずれか１項に記載の電子書籍視聴システム。
【請求項５】
携帯型情報端末において表示される電子書籍を、前記携帯型情報端末が接続された状態において表示および音声出力することによって、前記電子書籍の視聴が可能とされた車載機であって、
前記携帯型情報端末から電子書籍情報を取得する電子書籍情報取得手段と、
この電子書籍情報取得手段によって取得された前記電子書籍情報から、文字情報を抽出する文字情報抽出手段と、
この文字情報抽出手段によって抽出された前記文字情報の読み上げを行う読み上げ手段と、
前記取得された電子書籍情報から、画像情報を抽出する画像情報抽出手段と、
この画像情報抽出手段によって抽出された前記画像情報に対応する画像を前記画像情報と前記文字情報との前記電子書籍情報中における配置状態に基づいて、前記画像情報に関連するとみなされる前記文字情報を判別し、この判別の結果に基づいて、前記文字情報が前記読み上げ手段によって読み上げられる期間中に限定的に表示する画像表示手段と
を備えたことを特徴とする車載機。
【発明の詳細な説明】
【技術分野】
【０００１】
本発明は、電子書籍視聴システムおよび車載機に係り、特に、車載機における電子書籍の視聴に好適な電子書籍視聴システムおよび車載機に関する。
【背景技術】
【０００２】
従来から、外部接続機器を利用した車載エンターテイメントシステムに関する種々の提案がなされているが、その１つとして、タブレット端末等の携帯型情報端末を車載機に接続した上で、携帯型情報端末によって取得された電子書籍を、車載機の表示部に表示するとともに、テキスト読み上げ（ＴＴＳ：text to speech）によって車載機のスピーカから音声出力する技術が着目されている。
【０００３】
このような技術によれば、電子書籍の内容を、視覚のみでなく聴覚も利用して把握することができるので、例えば、子供に絵本を読み聞かせるようなことを、自動で行うことができる。
【０００４】
なお、電子書籍の文字情報を読み上げる技術については、これまでにも種々の提案がなされている（例えば、特許文献１参照）。
【先行技術文献】
【特許文献】
【０００５】
【特許文献１】特開２０００−９９３０８号公報
【発明の概要】
【発明が解決しようとする課題】
【０００６】
しかしながら、電子書籍をそのまま車載機の表示部に表示する場合には、とりわけ走行中において細かい文字を認識することが難しく、また、挿絵や写真等の画像が含まれている場合には、読み上げられている文章と画像との関連性が分かり難い場合があり、さらに、画像が小さく表示されて見づらくなる場合があるといった問題が生じることになる。
【０００７】
そこで、本発明は、このような問題点に鑑みなされたものであり、電子書籍の内容を容易かつ正確に把握することができ、ひいては、車内空間において電子書籍を十分に楽しむことができる電子書籍視聴システムおよび車載機を提供することを目的とするものである。
【課題を解決するための手段】
【０００８】
前述した目的を達成するため、本発明に係る電子書籍視聴システムおよび車載機は、携帯型情報端末において表示される電子書籍を、前記携帯型情報端末に接続された車載機において表示および音声出力することによって、前記車載機における前記電子書籍の視聴が可能とされた電子書籍視聴システムであって、前記車載機は、前記携帯型情報端末から電子書籍情報を取得する電子書籍情報取得手段と、この電子書籍情報取得手段によって取得された前記電子書籍情報から、文字情報を抽出する文字情報抽出手段と、この文字情報抽出手段によって抽出された前記文字情報の読み上げを行う読み上げ手段と、前記取得された電子書籍情報から、画像情報を抽出する画像情報抽出手段と、この画像情報抽出手段によって抽出された前記画像情報に対応する画像を、前記画像情報と前記文字情報との前記電子書籍情報中における配置状態に基づいて、前記画像情報に関連するとみなされる前記文字情報を判別し、この判別の結果に基づいて、前記文字情報が前記読み上げ手段によって読み上げられる期間中に限定的に表示する画像表示手段とを備えたことを特徴としている。
【０００９】
そして、このような構成によれば、電子書籍中の画像を、これに関連する文字情報の読み上げ期間中に、時間的な限定性および表示対象としての限定性を以て読み上げ内容との関連性を認識しやすいように且つ視認しやすいように大きく表示することができるので、電子書籍の内容を容易かつ正確に把握することが可能となる。
【００１１】
また、このような構成によれば、文字情報の読み上げに対応した画像表示を適切に行うことが可能となる。
【００１２】
さらに、前記車載機は、前記読み上げ手段によって読み上げられる前記文字情報を前記携帯型情報端末に通知する文字情報通知手段を備え、前記携帯型情報端末は、自らが表示中の前記電子書籍における前記文字情報通知手段によって通知された前記文字情報に対応する文字を強調表示する文字強調手段を備えてもよい。
【００１３】
そして、このような構成によれば、車載機において読み上げ中の文字情報を携帯型情報端末側で容易に把握することが可能となる。
【００１４】
さらにまた、前記車載機は、前記画像表示手段によって表示される前記画像に対応する画像情報を前記携帯型情報端末に通知する画像情報通知手段を備え、前記携帯型情報端末は、自らが表示中の前記電子書籍における前記画像情報通知手段によって通知された前記画像情報に対応する画像を強調表示する画像強調手段を備えてもよい。
【００１５】
そして、このような構成によれば、車載機において表示中の画像を携帯型情報端末側でも容易に把握することが可能となる。
【００１６】
また、前記携帯型情報端末は、タブレット端末であってもよい。
【００１７】
そして、このような構成によれば、電子書籍の表示に便利なタブレット端末を車内空間で活用することが可能となる。
【発明の効果】
【００１８】
本発明によれば、電子書籍の内容を容易かつ正確に把握することができ、ひいては、車内空間において電子書籍を十分に楽しむことができる。
【図面の簡単な説明】
【００１９】
【図１】本発明の実施形態を示すブロック図
【図２】本発明の実施形態において、携帯型情報端末によって取得される電子書籍の一例としての絵本と、この絵本の車載機における表示状態とを示す模式図
【図３】本発明の実施形態において、電子書籍の一例としての絵本の携帯型情報端末側における表示状態を示す模式図
【図４】本発明の実施形態において、電子書籍の一例としての新聞の携帯型情報端末側における表示状態を示す模式図
【図５】本発明の実施形態において、電子書籍の一例としての漫画の携帯型情報端末側における表示状態を示す模式図
【図６】本発明の実施形態を示すフローチャート
【発明を実施するための形態】
【００２０】
以下、本発明に係る電子書籍視聴システムおよび車載機の実施形態について、図１乃至図６を参照して説明する。
【００２１】
図１に示すように、本実施形態における電子書籍視聴システム１は、携帯型情報端末２と車載機３とによって構成されている。
【００２２】
携帯型情報端末２は、タブレット端末であってもよい。タブレット端末としては、スマートフォン・タブレット等を採用することができる。
【００２３】
図１に示すように、携帯型情報端末２は、通信部４および携帯側電子書籍情報取得部５を有している。携帯側電子書籍情報取得部５は、通信部４を用いた無線通信等によって、インターネット上のＷｅｂサーバ等の情報源から、不図示の入力操作手段（タッチパネル等）を用いたユーザ操作によって選択された電子書籍情報を取得するようになっている。なお、本実施形態において対応し得る電子書籍は、ダウンロード型のものであってもよいし、ストリーミング型のものであってもよい。また、電子書籍のファイル形式についても、コンセプトに応じた種々の形式（例えば、ｅＰｕｂ等）のものを採用することができる。
【００２４】
また、図１に示すように、携帯型情報端末２は、電子書籍情報表示処理部６および携帯側表示部７を有している。電子書籍情報表示処理部６は、携帯側電子書籍情報取得部５によって取得された電子書籍情報に対応する電子書籍を、携帯側表示部７に表示するようになっている。このとき、電子書籍情報表示処理部６は、電子書籍が複数頁分ある場合には、入力操作手段を用いた改頁操作にともなって改頁を行うようにしてもよい。
【００２５】
さらに、図１に示すように、携帯型情報端末２は、電子書籍情報送信処理部８および車載機接続部９を有している。電子書籍情報送信処理部８は、車載機接続部９に車載機３が接続された状態において、携帯側電子書籍情報取得部５によって取得された電子書籍情報を、車載機接続部９を介して車載機３に送信するようになっている。なお、車載機接続部９は、Bluetooth（登録商標）モジュール等の無線接続手段であってもよい。
【００２６】
一方、図１に示すように、車載機３は、携帯型情報端末接続部１０および電子書籍情報取得手段としての車載側電子書籍情報取得部１１を有している。携帯型情報端末接続部１０は、車載機接続部９と共通の接続方法（例えば、Bluetooth等）によって、携帯型情報端末２との接続を確立するようになっている。車載側電子書籍情報取得部１１は、携帯型情報端末接続部１０に車載機接続部９を介して携帯型情報端末２が接続されている状態において、携帯型情報端末２から送信された電子書籍情報を、携帯型情報端末接続部１０を介して受信して取得するようになっている。このような車載機３側における電子書籍情報の取得は、車載機３側での不図示の入力操作手段を用いた所定のユーザ操作に応じて車載側電子書籍情報取得部１１が携帯型情報端末２に対して電子書籍情報の要求信号を送信し、この要求信号に対する携帯型情報端末２の応答処理として行われるものであってもよい。
【００２７】
また、図１に示すように、車載機３は、文字情報抽出手段としての文字情報抽出部１２を有している。この文字情報抽出部１２は、車載側電子書籍情報取得部１１によって取得された電子書籍情報を解析して、当該電子書籍情報中の文字情報を公知の抽出方法によって抽出するようになっている。
【００２８】
さらに、図１に示すように、車載機３は、画像情報抽出手段としての画像情報抽出部１３を有している。この画像情報抽出部１３は、車載側電子書籍情報取得部１１によって取得された電子書籍情報を解析して、当該電子書籍情報中の画像情報を公知の抽出方法によって抽出するようになっている。
【００２９】
さらにまた、図１に示すように、車載機３は、読み上げ手段としてのＴＴＳ処理部１４および音声出力部１５を有している。ＴＴＳ処理部１４は、文字情報抽出部１２によって抽出された文字情報を、公知のＴＴＳ技術を用いたテキスト読み上げによって、音声出力部１５を介して音声出力するようになっている。
【００３０】
また、図１に示すように、車載機３は、画像表示手段としての画像表示処理部１６および車載側表示部１７を有している。なお、車載側表示部１７は、前部座席用（車載機本体）の表示部とは別個に備えられた後部座席用（リアエンターテイメントシステム用）の表示部であってもよい。画像表示処理部１６は、画像情報抽出部１３によって抽出された画像情報に対応する画像を、当該画像情報に関連するとみなされる文字情報（以下、関連文字情報と称する）がＴＴＳ処理部１４によって読み上げられる期間中に、車載側表示部１７に限定的に表示するようになっている。このとき、画像表示処理部１６は、画像情報抽出部１３によって抽出された画像情報と文字情報抽出部１２によって抽出された文字情報との電子書籍情報中における配置状態に基づいて関連文字情報を判別し、この判別結果に基づいて、関連文字情報の読み上げ期間中における画像の表示を行うようになっている。例えば、画像表示処理部１６は、電子書籍情報における画像情報と同一頁に含まれる全文字情報が関連文字情報であると判別し、当該関連文字情報の読み上げ期間中に、当該画像情報に対応する画像を表示するようにしてもよい。また、画像表示処理部１６は、同一頁中に複数の画像情報が抽出された場合には、各画像情報にそれぞれ位置的に近い一群の文字情報（例えば、段落や枠線等によって区分されたもの）が、各画像情報にそれぞれ対応する関連文字情報であると判別し、各関連文字情報の読み上げ期間中に、各関連文字情報に対応する画像を順次表示するようにしてもよい。
【００３１】
このような構成によれば、例えば、図２（ａ）に示すように、携帯型情報端末２側で、電子書籍として挿絵が含まれた絵本を取得した場合には、図２（ｂ）に示すように、車載機３側で、文章を含まずに挿絵のみを全画面表示することができるとともに、この挿絵に関連した内容の文章を読み上げることができる。
【００３２】
上記構成に加えて、更に、本実施形態において、車載機３は、図１に示すように、文字情報通知手段としての文字情報通知部１８を有している。この文字情報通知部１８は、ＴＴＳ処理部１４によってこれから読み上げられるべき所定文字数分の文字情報を、携帯型情報端末接続部１０を介して携帯型情報端末２に通知するようになっている。
【００３３】
これに対して、図１に示すように、携帯型情報端末２は、文字強調手段としてのハイライト表示処理部１９を有している。このハイライト表示処理部１９は、前述のようにして車載機３側に送信した電子書籍を携帯型情報端末２側においても表示する際に、表示中の電子書籍における文字情報通知部１８によって通知された文字情報に対応する文字を、ハイライト表示によって強調表示するようになっている。
【００３４】
さらに、図１に示すように、車載機３は、画像情報通知手段としての画像情報通知部２０を有している。この画像情報通知部２０は、画像表示処理部１６によってこれから表示されるべき画像に対応する画像情報を、携帯型情報端末接続部１０を介して携帯型情報端末２に通知するようになっている。
【００３５】
これに対して、ハイライト表示処理部１９は、画像強調手段としても機能し、車載機３側に送信した電子書籍を携帯型情報端末２側においても表示する際に、表示中の電子書籍における画像情報通知部２０によって通知された画像情報に対応する画像を、ハイライト表示によって強調表示するようになっている。
【００３６】
このような構成によれば、例えば、図３に示すように、携帯型情報端末２に表示されている電子書籍としての絵本のうち、車載機３側で現在読み上げが行われている所定文字数分（１行分）の文章と、これに関連する挿絵とをハイライトさせることができる。また、このようなハイライト表示は、図４に示すように、電子書籍として新聞を表示する場合や、図５に示すように、電子書籍として漫画を表示する場合においても同様である。ただし、図４および図５中の複数の画像に付されている番号は、車載機３側（ＴＴＳ処理部１４）での文章の読み上げの進行にともなって車載機３側（画像表示処理部１６）で順次表示される画像の表示順である。したがって、図４および図５に示す携帯型情報端末２側（ハイライト表示処理部１９）での複数の画像のハイライトも、車載機３側での文章の読み上げの進行に応じて、画像に付されている番号順に行われることになる。
【００３７】
なお、携帯型情報端末２における通信部４としては、この種の端末に適用される公知の通信モジュールを採用することができる。また、この他、携帯型情報端末２における前述した各構成部５，６，８，１９は、ＣＰＵ、ＣＰＵの実行プログラムが記憶されたＲＯＭおよびデータの一次保存等に用いられるＲＡＭ等によって実現してもよい。さらに、車載機３の前述した各構成部１１，１２〜１４、１６，１８，２０も、ＣＰＵ、ＲＯＭおよびＲＡＭ等によって実現してもよい。
【００３８】
次に、本実施形態の主要な作用について説明する。
【００３９】
ただし、初期状態においては、便宜上、携帯型情報端末２と車載機３との接続状態が確立されていて、携帯型情報端末２側で通信によって電子書籍情報が取得されているものとする。
【００４０】
そして、このような初期状態から、まず、図６のステップ１（ＳＴ１）において、車載側電子情報取得部１１により、携帯型情報端末２側から電子書籍情報を取得する。
【００４１】
次いで、ステップ２（ＳＴ２）において、文字情報抽出部１２により、ステップ１（ＳＴ１）において取得された電子書籍情報から文字情報を抽出するとともに、画像情報抽出部１３により、当該電子書籍情報から画像情報を抽出する。
【００４２】
次いで、ステップ３（ＳＴ３）において、画像表示処理部１６により、ステップ２（ＳＴ２）において画像情報が抽出されたか否かを判定する。そして、ステップ３（ＳＴ３）において肯定的な判定結果が得られた場合には、ステップ４（ＳＴ４）に進み、否定的な判定結果が得られた場合には、ステップ１２（ＳＴ１２）に進む。
【００４３】
ここで、ステップ４（ＳＴ４）以降の処理について先に説明すると、まず、ステップ４（ＳＴ４）においては、画像表示処理部１６により、画像情報と文字情報との対応関係を解析して、関連文字情報を判別する。
【００４４】
次いで、ステップ５（ＳＴ５）において、画像表示処理部１６により、関連文字情報のＴＴＳ処理部１４による読み上げが開始されたか否かを判定する。そして、ステップ５（ＳＴ５）において肯定的な判定結果が得られた場合には、ステップ６（ＳＴ６）に進み、否定的な判定結果が得られた場合には、ステップ５（ＳＴ５）を繰り返す。
【００４５】
次いで、ステップ６（ＳＴ６）において、画像表示処理部１６により、ステップ５（ＳＴ５）において読み上げが開始されたと判定された関連文字情報に関連する画像情報に対応する画像（関連画像）の表示を開始する。また、このとき、携帯型情報端末２側においても、ハイライト表示処理部１９により、車載機３側で読み上げられる関連文字情報に対応する文字のハイライト表示および車載機３側で表示される関連画像のハイライト表示を開始する。
【００４６】
次いで、ステップ７（ＳＴ７）において、画像表示処理部１６により、ステップ６（ＳＴ６）において開始した関連文字情報の読み上げが終了したか否かを判定する。そして、ステップ７（ＳＴ７）において肯定的な判定結果が得られた場合には、ステップ８（ＳＴ８）に進み、否定的な判定結果が得られた場合には、ステップ７（ＳＴ７）を繰り返す。
【００４７】
次いで、ステップ８（ＳＴ８）において、画像表示処理部１６により、ステップ６（ＳＴ６）において開始した関連画像の表示を終了する。また、このとき、携帯型情報端末２側においても、車載機３側での読み上げおよび画像表示の終了にともなってハイライト表示を終了する。
【００４８】
次いで、ステップ９（ＳＴ９）において、ＴＴＳ処理部１４により、次に読み上げられるべき文字情報が存在するか否かを判定する。そして、ステップ９（ＳＴ９）において肯定的な判定結果が得られた場合には、ステップ１０（ＳＴ１０）に進み、否定的な判定結果が得られた場合には、処理を終了する。
【００４９】
次いで、ステップ１０（ＳＴ１０）において、画像表示処理部１６により、次に読み上げられるべき文字情報が、電子書籍情報における次に表示されるべき画像情報に関連するとみなされる次の関連文字情報であるか否かを判定する。そして、ステップ１０（ＳＴ１０）において肯定的な判定結果が得られた場合には、ステップ５（ＳＴ５）に進んで、次に表示されるべき画像情報に対して、前回表示した画像情報と同様の処理を行い、否定的な判定結果が得られた場合には、ステップ１１（ＳＴ１１）に進む。
【００５０】
次いで、ステップ１１（ＳＴ１１）において、ＴＴＳ処理部１４により、次に読み上げられるべき文字情報の読み上げおよびハイライト表示処理部１９による当該文字情報のハイライトを行ってステップ９（ＳＴ９）に戻る。
【００５１】
次に、ステップ１２（ＳＴ１２）においては、ＴＴＳ処理部１４により、ステップ２（ＳＴ２）において抽出された文字情報の読み上げおよびハイライト表示処理部１９による当該文字情報のハイライトを行ってステップ９（ＳＴ９）に進む。
【００５２】
以上述べたように、本発明によれば、電子書籍中の画像を、これに関連する文字情報の読み上げ期間中に、時間的な限定性および表示対象としての限定性を以て読み上げ内容との関連性を認識しやすいように且つ視認しやすいように大きく表示することができる。この結果、ユーザは、電子書籍の内容を容易かつ正確に把握することができ、電子書籍を車内空間において十分に楽しむことができる。
【００５３】
なお、本発明は、前述した実施の形態に限定されるものではなく、本発明の特徴を損なわない限度において種々変更することができる。
【００５４】
例えば、携帯型情報端末２側での電子書籍の改頁処理に、車載機３側での読み上げ／画像表示頁の改頁処理を連動させてもよい。ただし、この場合には、車載機３側で、携帯型情報端末２側での電子書籍の表示頁を通信を介して認識させることが必要となる。
【００５５】
また、文字強調手段および画像強調手段は、ハイライト以外の方法（例えば、マーク、線または枠を付すること等）によって対象となる文字・画像を強調するようにしてもよい。
【符号の説明】
【００５６】
１  電子書籍視聴システム
２  携帯型情報端末
３  車載機
１２  文字情報抽出部
１３  画像情報抽出部
１４  ＴＴＳ処理部
１６  画像表示処理部
【図１】
0005726647.tif 000002
【図３】
0005726647.tif 000003
【図４】
0005726647.tif 000004
【図６】
0005726647.tif 000005
【図２】
0005726647.tif 000006
【図５】
0005726647.tif 000007